(57)【特許請求の範囲】
【請求項１】
時間的に周期性を有する生体信号から特徴量を抽出するための生体信号処理装置であって、
前記生体信号を取得する取得手段と、
前記取得された生体信号の任意の期間に、前記生体信号の成分が一定期間含まれない期間または前記生体信号の成分が所定の閾値を超える期間に対応する信号であるアーチファクト、および、前記アーチファクトと異なり且つ前記特徴量の抽出を阻害するノイズ、のうちの少なくとも１つが混入しているか否かを判定する判定手段とを備え、
前記判定手段は、前記任意の期間において前記生体信号の電位が所定の時間または所定の回数所定の閾値を超えている場合、または前記生体信号の電位が前記任意の期間において一定期間ゼロのままである場合に、当該任意の期間に前記アーチファクトが混入していると判定し、
前記判定手段は、前記アーチファクトが混入していないと判定された場合に、前記任意の期間の前後の期間に計測された前記生体信号との比較結果に応じてノイズの混入を判定する、
生体信号処理装置。
【請求項２】
前記判定手段によって前記ノイズが混入していると判定された場合、前記ノイズを除去するノイズ除去手段と、
前記ノイズ除去手段によって前記ノイズが除去された期間に対応する生体信号から前記特徴量を抽出する抽出手段と、
をさらに備える請求項１記載の生体信号処理装置。
【請求項３】
前記判定手段によって前記アーチファクトが混入していると判定された場合、前記アーチファクトが混入している期間に対応する生体信号を破棄する、または、前記ノイズおよび前記アーチファクトの何れも混入していない期間における特徴量を用いて、前記アーチファクトが混入している期間における特徴量を補完する、補完手段をさらに備える、請求項２記載の生体信号処理装置。
【請求項４】
時間的に周期性を有する生体信号から特徴量を抽出するための生体信号処理方法であって、
前記生体信号を取得する過程と、
前記取得された生体信号の任意の期間に、前記生体信号の成分が一定期間含まれない期間または前記生体信号の成分が所定の閾値を超える期間に対応する信号であるアーチファクト、および、前記アーチファクトと異なり且つ前記特徴量の抽出を阻害するノイズ、のうちの少なくとも１つが混入しているか否かを判定する過程とを備え、
前記判定する過程は、前記任意の期間において前記生体信号の電位が所定の時間または所定の回数所定の閾値を超えている場合、または前記生体信号の電位が前記任意の期間において一定期間ゼロのままである場合に、当該任意の期間に前記アーチファクトが混入していると判定し、
前記判定する過程は、前記アーチファクトが混入していないと判定された場合に、前記任意の期間の前後の期間に計測された前記生体信号との比較結果に応じてノイズの混入を判定する、
生体信号処理方法。
【請求項５】
前記ノイズが混入していると判定された場合、前記ノイズを除去し、
前記ノイズが除去された期間に対応する生体信号から前記特徴量を抽出する、請求項４記載の生体信号処理方法。
【請求項６】
前記アーチファクトが混入していると判定された場合、前記アーチファクトが混入している期間に対応する生体信号を破棄するか、または、前前記ノイズおよび前記アーチファクトの何れも混入していない期間における特徴量を用いて、前記アーチファクトが混入している期間における特徴量を補完する、請求項５記載の生体信号処理方法。
【請求項７】
コンピュータを、請求項１乃至３の何れか１項に記載の生体信号処理装置として機能させるためのプログラム。
【発明の詳細な説明】
【技術分野】
【０００１】
この発明は、生体信号にアーチファクトまたはノイズが混入しているか否かを判定するための生体信号処理装置、方法、およびプログラムに関する。
【背景技術】
【０００２】
従来、ホルター心電計等のウェアラブルデバイスを用いて生体信号を取得し、取得された生体信号から、例えば、生体信号に時間的に繰り返し含まれる特徴的な波形パタンや特徴量を抽出する等の様々な生体信号処理が行われている。
【先行技術文献】
【非特許文献】
【０００３】
【非特許文献１】Nakai et.al，Noise Tolerant QRS Detection using Template Matching with Short-Term Autocorrelation，IEEE EMBC 2014，pp.34-37，2014
【非特許文献２】奥出潤，これならわかる！かんたんポイント心電図 第2版，医学書院，2015
【非特許文献３】渡辺重行，山口巌 編，心電図の読み方パーフェクトマニュアル，羊土社，2006
【非特許文献４】http://www.nihonkohden.co.jp/iryo/point/12lead/check.html，検索日：2016/02/04
【非特許文献５】http://www.jhf.or.jp/ecg/potential.html，検索日：2016/02/05
【非特許文献６】http://hclab.sakura.ne.jp/stress_novice_hartrate.html，検索日：2016/02/05
【発明の概要】
【発明が解決しようとする課題】
【０００４】
しかしながら、取得される生体信号には、体動や静電気等の影響により、異常な信号であるアーチファクトまたはノイズが混入するという問題がある。
【０００５】
そのため、取得された生体信号に対して上述したような生体信号処理を行う場合、アーチファクトまたはノイズが混入している生体信号を適切に検出し、アーチファクトまたはノイズが混入している生体信号を適切に処理する必要がある。
【０００６】
この発明は、このような事情に鑑みてなされたものであり、生体信号にアーチファクトまたはノイズが混入しているか否かを適切に判定するための生体信号処理装置、方法、およびプログラムを提供することにある。
【課題を解決するための手段】
【０００７】
上記目的を達成するためにこの発明の第１の観点は、以下のような構成要素を備えている。すなわち、生体信号処理装置は、時間的に周期性を有する生体信号から特徴量を抽出するための生体信号処理装置であって、生体信号を取得する取得手段と、取得された生体信号の任意の期間に、生体信号の成分が一定期間含まれない期間または生体信号の成分が所定の閾値を超える期間に対応する信号であるアーチファクト、および、アーチファクトと異なり且つ特徴量の抽出を阻害するノイズ、のうちの少なくとも１つが混入しているか否かを判定する判定手段と、を備え、上記判定手段が、上記任意の期間において上記生体信号の電位が所定の時間または所定の回数所定の閾値を超えている場合、または上記生体信号の電位が上記任意の期間において一定期間ゼロのままである場合に、当該任意の期間に前記アーチファクトが混入していると判定し、上記判定手段が、上記アーチファクトが混入していないと判定された場合に、前記任意の期間の前後の期間に計測された前記生体信号との比較結果に応じてノイズの混入を判定することを特徴とする。
【発明の効果】
【０００８】
すなわちこの発明によれば、生体信号にアーチファクトまたはノイズが混入しているか否かを適切に判定することができる生体信号処理装置、方法、およびプログラムを提供することができる。
【図面の簡単な説明】
【０００９】
【図１】本発明の実施形態の生体信号処理装置が適用される生体信号処理システムの構成例を示すブロック図。
【図２】同実施形態の生体信号処理装置によって実行される生体信号判定処理の対象となる生体信号の波形の一例を示す図。
【図３】アーチファクトまたはノイズの要因と、その要因に対応するアーチファクトまたはノイズの種類を説明するための図。
【図４】生体信号の１つである心電に含まれるノイズについて説明するための図。
【図５】心臓の拍動と心電との関係を示す波形。
【図６】心臓の拍動の速さと心拍間隔の関係を説明するための波形。
【図７】図５に示した心電の各波形を説明するための図。
【図８】ＱＲＳ群に属する波形の極性およびその波形の概要を説明するための図。
【図９】図５に示す各波形の正常持続時間について説明するための図。
【図１０】同実施形態の生体信号処理装置によって実行される生体信号判定処理手順の一例を示すフローチャート。
【発明を実施するための形態】
【００１０】
以下、図面を参照してこの発明に係る実施形態を説明する。  
図１は、本発明の実施形態に係る生体信号処理システム１の構成例を示すブロック図である。  
まず、図１に関して説明する前に、図２乃至図９を参照して、本実施形態の概要について説明する。  
本実施形態は、ウェアラブルデバイスを用いて取得される生体信号の解析等の処理をするための技術に関するものである。
【００１１】
非特許文献１のような従来技術では、ウェアラブルデバイスに設けられた生体信号を取得するために用いられる電極の移動やその電極が外れることにより生じるアーチファクトが想定されていないため、例えば、後述するＲ波等の生体信号の特徴量（以下、単に「特徴量」と称す。）の抽出の精度が低い場合がある。なお、アーチファクトについては、図２等を参照して後述する。
【００１２】
本実施形態では、生体信号にアーチファクトまたはノイズが混入しているか否かを判定する処理（以下、「生体信号判定処理」と称す。）を行うことによって、ウェアラブルデバイスを用いた特徴量の抽出の精度を向上させる。そして、アーチファクトまたはノイズが生じることにより正確と思われる特徴量を抽出できない場合、不正確な値である恐れのある特徴量、あるいは該当する生体信号の破棄、または特徴量の補完を行うことによって、例えば、ウェアラブルデバイスの利用者が計測された生体信号の特徴量を見た場合に生じる違和感等を低減することができる。
【００１３】
より詳細には、ウェアラブルデバイスで計測された時間的な周期性を有する生体信号に対して、アーチファクトおよびノイズを考慮して、例えば、生体信号の任意の期間において、ウェアラブルデバイスの利用者に提供するサービス形態に応じて、特徴量の抽出の精度が低下しないように、アーチファクトまたはノイズが混入していると判定された期間、例えば特徴量の抽出が困難な期間、における生体信号を破棄または特徴量を補完する。
【００１４】
例えば、対象となる生体信号の電位に基づき、アーチファクトまたはノイズが混入しているか否か判定する。また、生体信号の任意の期間のうちの、アーチファクトおよびノイズが混入していない期間のように、アーチファクトおよびノイズの影響が少ない期間における特徴量を抽出対象とすることによって、特徴量の抽出の精度を向上させる。
【００１５】
ここで、図２を参照して、本実施形態の対象となる生体信号の波形の一例について説明する。  
図２は、所定期間における生体信号の波形のグラフ４０を示している。図２の横軸は、時間を示しており、図２の縦軸は、生体信号の成分の１つである電位を示している。
【００１６】
グラフ４０は、アーチファクトを含む領域４２ａ、ノイズを含む領域４２ｂ、および、アーチファクトおよびノイズを含まない正常な領域４２ｃを有する。
【００１７】
アーチファクトを含む領域４２ａは、電位の振幅がほぼゼロである領域４２ａ−１、および、電位の振幅が所定の閾値Ｔｈを一定期間超えている領域４２ａ−２を含む。
【００１８】
なお、本実施形態における領域とは、生体信号の時間的な期間に対応する生体信号の波形の領域を意味する。
【００１９】
ここで、アーチファクトについて説明する。  
アーチファクトは、時間的な周期性を有する正常な生体信号に対して、ノイズと同様に、異常な信号である。また、アーチファクトは、領域４２ａ−１に対応する期間の信号（以下、「振幅ゼロアーチファクト」と称す。）および領域４２ａ−２に対応する期間の信号（以下、「振幅大アーチファクト」と称す。）、の２つに分類される。
【００２０】
具体的には、振幅ゼロアーチファクトは、生体信号の任意の期間に、生体信号の成分が一定期間含まれない期間に対応する信号であり、電極の外れ等の外部要因によって生じ、電極が外れるため、計測される電位、すなわち計測電位、がゼロである信号である。そのため、振幅ゼロアーチファクトを含む期間における計測電位から生体信号の成分を取り出すことは困難である。
【００２１】
一方、振幅大アーチファクトは、生体信号の成分が所定の閾値Ｔｈを超える期間に対応する信号であり、電極の移動等の外部要因によって生じ、計測電位が平常時の計測電位よりも著しく高い値を取る信号である。そのため、振幅大アーチファクトを含む期間における計測電位から生体信号の成分を取り出すことは困難である。なお、平常時の計測電位は、例えば、後述する正常な領域４２ｃに対応する正常な信号の計測電位である。
【００２２】
次に、ノイズを含む領域４２ｂについて説明する。  
図２は、領域４２ｂを拡大したグラフ４６も示している。グラフ４６は、ノイズの影響により、生体信号の基線変動が生じている生体信号を示している。
【００２３】
本実施形態におけるノイズは、アーチファクトと異なり且つ生体信号の特徴量の抽出を阻害する信号である。
【００２４】
図３は、アーチファクトまたはノイズの要因と、その要因に対応するアーチファクトまたはノイズの種類を示す対応表である（非特許文献４を参照して作成）。
【００２５】
ノイズの計測電位は、アーチファクトほど大きくはないが、グラフ４６では、図３に示すような様々な外部要因によって、基線変動を生じるノイズが生体信号に混入していることが分かる。そのため、計測電位から生体信号の成分を取り出せるか否かは、ノイズの混入状態に依存する。
【００２６】
ノイズの混入状態とは、例えば、後述する図１に記載されているノイズ除去・低減処理部１６ａによって除去または低減可能なノイズが混入している状態である。この場合、ノイズを除去または低減することによって、計測電位から生体信号の成分を取り出すことができる。このように、本実施形態におけるノイズは、除去または低減することによって生体信号の成分を取り出すことができるノイズである。
【００２７】
次に、アーチファクトおよびノイズを含まない正常な領域４２ｃについて説明する。  
図２は、領域４２ｃを拡大したグラフ４４も示している。グラフ４４は、正常な生体信号を示している。正常な生体信号とは、アーチファクトおよびノイズが混入していない信号、または、グラフ４４のように時間的な周期性を有する信号である。また、正常な生体信号は、後述するＲ波のように予め分かっている波形パタンを含む信号である。
【００２８】
次に、図３および図４を参照して、アーチファクトおよびノイズについてより詳細に説明する。
【００２９】
図３は、前述したように、非特許文献４を参照して作成した、アーチファクトまたはノイズの要因と、その要因に対応するアーチファクトまたはノイズの種類を示す対応表である。
【００３０】
図４は、非特許文献５から引用した、生体信号の１つである心電に含まれるノイズについて説明するための図である。
【００３１】
要因は、例えば、電極が移動すること（電極移動）、電極が外れること（電極外れ）、呼吸または体動による分極電圧の変動、心電への筋電ノイズの混入等により生じる類似周波数の生体信号、および静電気である。
【００３２】
そして、これらの各要因に対応するアーチファクトまたはノイズの種類は、振幅大アーチファクトに対応し生体信号の波形の乱れとして生じるアーチファクト、振幅ゼロアーチファクトに対応し生体信号の波形の乱れとして生じるアーチファクト、基線の変動として生じるノイズ、生体信号の波形の乱れとして生じるノイズ、および、インパルス性のノイズである。
【００３３】
なお、図３の電極外れに対応するアーチファクトの計測電位は、例えば、ウェアラブルデバイスに設けられたグラウンドと電極がともに、生体信号が計測される被検体から外れた場合、ゼロになることがある。なお、被検体は、例えば、ウェアラブルデバイスを装着等しているユーザである。
【００３４】
次に、図４を参照して、生体信号の１つである心電に含まれるノイズについて説明する。
【００３５】
図４に示す心電の波形には、領域４２ｄに、電極移動を要因として生じる振幅大アーチファクトを含んでいることがわかる。
【００３６】
次に、図５乃至図７を参照して、心電についてより詳細に説明する。  
図５は、非特許文献６から引用した、心臓の拍動と心電との関係を示す波形である。図５の波形の横軸は時間を示しており、縦軸は心電の電圧を示している。
【００３７】
図６は、非特許文献６から引用した、心臓の拍動の速さと心拍間隔の関係を示す波形である。また、図６は、複数の隣接するＲ波を示している。
【００３８】
図７は、非特許文献２，３から引用した図５に示した心電の各波形を説明するための図である。
【００３９】
心電は、循環器系の生体信号であり、心室の収縮と同期した周期的な信号を含む。
【００４０】
また、心電は、例えば、図５の「Ｐ」、「Ｑ」、「Ｒ」、「Ｓ」、および「Ｔ」で示される各波形に基づき、図７を参照して後述するＰ波、ＱＲＳ群５０に対応する波、ＳＴ部分に対応する波、Ｔ波、およびＵ波、に分類される。
【００４１】
なお、本実施形態では、ＱＲＳ群５０に対応する波をＲ波と称す。Ｒ波は、本実施形態における特徴的な波形パタンの１つであり、１つの心拍に含まれる波形に相当する。また、本実施形態における特徴量は、後述するＲＲＩだけでなく、Ｒ波のような波形パタンも含まれる。
【００４２】
また、心電は、１つの心拍に含まれる波形およびその持続時間の正常範囲は医学的に定義されている。そのため、アーチファクトやノイズが全く混入しない理想的な状態であれば、心電は、この１つの心拍に含まれる波形の形状の繰り返しとして記録される。また、心電は、例えば、この１つの心拍に含まれる波形を１周期とする電気信号でもある。
【００４３】
心電の特徴量の１つとして、隣接するＲ波の間隔、すなわち心拍間隔、に相当するＲＲＩ値と呼ばれる指標がある。このＲＲＩ値を用いて、例えば、自律神経の活動の推定を行うことができる。
【００４４】
具体的には、心臓の拍動が速い場合、ＲＲＩ値は、図６の（ａ）のＲＲＩ１−１およびＲＲＩ１−２のように、図６の（ｂ）のＲＲＩ２よりも、大きくなる。つまり、心拍間隔が長くなる。一方、心臓の拍動が遅い場合、ＲＲＩ値は、図６の（ｂ）のＲＲＩ２のように、ＲＲＩ１−１およびＲＲＩ１−２よりも、大きくなる。つまり、心拍間隔が短くなる。
【００４５】
また、例えば、隣接するＲＲＩ値、すなわちＲＲＩ１−１とＲＲＩ１−２とを比較することによって、ＲＲＩ値のゆらぎを算出できる。また、ＲＲＩ値の逆数に基づき、心拍数を算出することもできる。
【００４６】
このように、Ｒ波やＲＲＩ値は、医療における治療等だけでなく、例えば被検体の健康状態等を確認するためにも用いることができるため、生体信号の重要な特徴量の１つである。
【００４７】
次に、図７を参照して、図５に示した心電の各波形について説明する（非特許文献２，３参照）。  
図７に示すように、波形は、例えば、図５の「Ｐ」に相当するＰ波、本実施形態におけるＲ波であり図５の「Ｑ」，「Ｒ」，「Ｓ」に相当するＱＲＳ群５０に対応する波、図５の「Ｓ」および「Ｔ」に相当するＳＴ部分（ＳＴセグメント）に対応する波、図５の「Ｔ」に相当するＴ波、および、図５には図示されていないＵ波、である。なお、Ｕ波は、例えば、図５におけるＴ波およびＰ波との間に見られる波形である。
【００４８】
また、各波形の極性について、Ｐ波、Ｔ波、およびＵ波は、陽性波であり、ＳＴ部分に対応する波は、極性がない波である。
【００４９】
これらの波形、Ｐ波、ＱＲＳ群５０に対応する波、ＳＴ部分に対応する波、Ｔ波、およびＵ波、が発生する要因は、それぞれ、例えば、心房の興奮（収縮）、心室の脱分極（収縮）、心室筋の再分極過程、心室の再分極、およびプルキンエ繊維の再分極、である。なお、Ｕ波に対応する発生要因は、医学的にも不明であるとされているが、例えば、プルキンエ繊維の再分極である。
【００５０】
次に、図８を参照して、Ｒ波について詳細に説明する（非特許文献２，３参照）。  
図８は、本実施形態のＲ波に対応するＱＲＳ群５０に属する波形の極性とその波形の概要を示している。本実施形態のＲ波は、厳密には、図８のように定義される。
【００５１】
Ｑ波とＳ波は、陰性波であり、Ｒ波は、陽性波である。
【００５２】
Ｑ波，Ｒ波，Ｓ波は、図５に示すように、時間的にこの順に観測される。つまり、Ｑ波は、時間的に最初に観測される陰性波である。Ｒ波は、Ｑ波が観測された後、観測される陽性波である。そして、Ｓ波は、Ｒ波が観測された後、観測される陰性波である。
【００５３】
次に、図９を参照して、図５等に示す各波形の正常持続時間について説明する（非特許文献２，３参照）。
【００５４】
図９は、図５に示す各波形の正常持続時間について説明するための図である。
【００５５】
正常持続時間は、例えば、各波形が観測されている時間であり、一般的に知られている時間である。
【００５６】
具体的には、ＰＱ時間は、例えば、Ｐ波とＱ波との間の正常持続時間であり、Ｐ波の立ち上がりの観測が開始されてから、最初の陰性波であるＱ波の観測を開始する直前までの期間である。ＰＱ時間は、約０．１２（秒）以上から０．２（秒）未満である。
【００５７】
ＱＲＳ群時間は、例えば、最初の陰性波であるＱ波を観測した直前から、その後における最初の陽性波であるＲ波が観測され、その直後の陰性波であるＳ波が収束するまでの期間である。ＱＲＳ群時間は、約０．１（秒）未満である。
【００５８】
ＱＴ時間は、例えば、ＱＲＳ群５０の観測が開始されてから、Ｔ波が収束するまでの期間であり、心筋の収縮時間に相当する時間である。ＱＴ時間は、例えば、Ｔ波の終点がＲＲの中点以下になる時間であり、約０．３５（秒）以上から０．４４（秒）以下である。
【００５９】
ここまで、本実施形態の概要および生体信号について説明した。本実施形態では、上述したような生体信号を対象として、生体信号判定処理を行う。
【００６０】
本実施形態では、上述した心電のように、図７に示すような各波形が出現する順序が予め分かっている生体信号、すなわちＲ波のような類似した波形が繰り返し現れる生体信号を対象とする。また、図６等を参照して説明した生体信号から得られるＲＲＩ値等の特徴量の値が取りうる範囲は、医学的または生理学的におおよそ予め分かっているものを想定している。
【００６１】
図１のブロック図に戻り、生体信号処理システム１の構成例について説明する。
【００６２】
生体信号処理システム１は、生体信号測定デバイス９、生体信号処理装置１０、および生体信号解析処理部３０を備える。
【００６３】
生体信号処理システム１は、上述した生体信号判定処理を行うためのシステムであり、特徴量を算出するためのシステムでもある。また、生体信号処理システム１は、上述したような特徴量だけでなく、他の生理指標を検出するためのシステムでもある。
【００６４】
生体信号計測デバイス９は、被検体から生体信号を計測するためのデバイスであり、例えば、被検体に装着可能なホルター心電計等のウェアラブルデバイスである。生体信号計測デバイス９は、被検体から計測された生体信号に関する情報である生体信号情報ａ０を生体信号処理装置１０に送る。
【００６５】
生体信号情報ａ０は、例えば、心電図等に表示されるような周期性を有する波形を示す心拍、脈拍、呼吸、脳波、または発汗等の生体現象に関する数値等に関する情報を含む。
【００６６】
生体信号処理装置１０は、上述したアーチファクトおよびノイズのうちの少なくとも１つを判定し、時間的に周期性を有する生体信号から特徴量を抽出するための装置であり、生体信号取得部１２、アーチファクト判定部１４、ノイズ混入状況判定部１６、特徴量補完要否判定部１８、特徴量抽出部２０、特徴量記憶部２２、および、補完・破棄処理済特徴量記憶部２４を備える。
【００６７】
生体信号取得部１２は、生体信号計測デバイス９から生体信号情報ａ０を取得する。そして、生体信号情報ａ０のうち生体信号判定処理を行う必要がある生体信号情報ａを、アーチファクト判定部１４に送る。
【００６８】
また、生体信号取得部１２は、生体信号情報ａ０を保持するためのバッファメモリ（図示せず）を備えていてもよい。このバッファメモリに、必要に応じて、例えば、生体信号判定処理を行うために必要な情報量の生体信号情報ａ０を、保持してもよい。
【００６９】
アーチファクト判定部１４は、生体信号情報ａに基づき、生体信号にアーチファクトが混入しているか否かを判定する。換言すると、上述した正常な生体信号が計測できているか否かを判定する。
【００７０】
より詳細には、アーチファクト判定部１４は、振幅ゼロアーチファクトおよび振幅大アーチファクトの有無を判定する。なお、生体信号は、連続的に記録され得る値であり、ある瞬間の一時点に計測された電位のみに着目した場合、振幅ゼロアーチファクトおよび振幅大アーチファクトを誤判定する恐れがある。そのため、振幅ゼロアーチファクトおよび振幅大アーチファクトの何れについても、例えば、一定期間ごとに分割した生体信号に基づいて、振幅ゼロアーチファクトおよび振幅大アーチファクトの有無を判定する。
【００７１】
具体的には、アーチファクト判定部１４は、振幅大アーチファクトに関して、一定期間において予め定められた上述したような閾値Ｔｈを越えた場合、振幅大アーチファクトがその一定期間に混入していると判定する。一方、振幅ゼロアーチファクトに関して、一定期間における生体信号のデータに対する、電位がゼロであるデータの割合が所定値を越えた場合、振幅ゼロアーチファクトがその一定期間に混入していると判定する。
【００７２】
さらにより詳細には、アーチファクト判定部１４は、以下の何れかの条件を満たす期間の検出を行う。なお、本実施形態における期間とは、生体信号の時間的に任意の区間である。
【００７３】
第１の条件は、生体信号に振幅大アーチファクトが混入しているか否かを判定するための条件であり、生体信号の成分が所定の閾値Ｔｈを超えているという条件である。例えば、生体信号の電位が、任意の期間において所定時間または所定回数、閾値Ｔｈを超えているという条件である。
【００７４】
第２の条件は、生体信号に振幅ゼロアーチファクトが混入しているか否かを判定するための条件であり、生体信号の成分が一定期間含まれていないという条件である。例えば、生体信号の電位が、任意の期間において一定期間、ゼロのままであるという条件である。
【００７５】
アーチファクト判定部１４は、第１の条件および第２の条件の何れか１つの条件を満たした場合、判定の対象となる期間において、生体信号にアーチファクトが混入していると判定する。
【００７６】
また、アーチファクト判定部１４は、第１の条件および第２の条件の何れかの条件を満たす場合、当該期間に生体信号が含まれないとみなし、当該期間における生体信号のデータに関して、例えば当該期間における生体信号の全てのデータに関して、いわゆるタイムスタンプを記録するとともに、「アーチファクト」等のラベルを付与してもよい。
【００７７】
また、アーチファクト判定部１４は、第１の条件および第２の条件の何れかの条件を優先して用いて、アーチファクトが混入しているか否かを判定してもよい。
【００７８】
そして、アーチファクト判定部１４は、アーチファクトが混入していないと判定した場合、その判定結果ｂ１を、ノイズ混入状況判定部１６に送る。一方、アーチファクトが混入していると判定した場合、判定結果ｂ２を、特徴量補完要否判定部１８に送る。
【００７９】
ノイズ混入状況判定部１６は、ノイズ除去・低減処理部１６ａを備え、判定結果ｂ１に基づき、生体信号にノイズが混入しているか否かを判定する。例えば、基線変動等の特徴量の抽出の妨げとなるノイズの混入状況を判定する。
【００８０】
ここで、ノイズ混入状況判定部１６によるノイズの混入状況を判定するためのノイズ判定処理の一例について説明する。ここで説明するノイズ判定処理は、心電の各波形が周期的に計測されることを利用し、任意の期間の前後の期間に計測された電位等の値と、その値に関する所定の統計量とを比較する。その比較の結果が、所定値を越えたか否か判定することによって、ノイズの混入状況を判定する。なお、本実施形態では、ここで説明するノイズ判定処理の方法と異なる方法を用いてもよい。
【００８１】
具体的には、ノイズ混入状況判定部１６は、生体信号の任意の領域において、電極移動や電極外れ等に起因するような、対象となる生体信号と類似した周波数特性を有するノイズ混入領域を判定することによって、生体信号にノイズが混入しているか否かを判定する。
【００８２】
そして、ノイズ混入状況判定部１６は、この周期的な生体信号に混入した同一の周波数帯域に存在するノイズの判定を行うために、対象となる生体信号を、少なくとも短期期間と長期期間の２つの異なる分析窓幅で分割し、その分析窓を評価する。より詳細には、対象となる生体信号を分割し、分割された生体信号を含む各分析窓における特徴量を算出し、その分析窓を評価する。なお、ここで、ノイズ混入状況判定部１６によって算出される特徴量は、本実施形態における特徴量と異なっていてもよい。
【００８３】
また、ノイズ混入状況判定部１６は、長期期間の幅を有する分析窓同士を比較することにより大局的な変化を判定し、短期期間の幅を有する分析窓同士を比較することにより、例えば、ノイズが混入しているか否かを示す変化点、その変化の継続性等を判定する。
【００８４】
これにより、ノイズ混入状況判定部１６は、対象となる生体信号と同一の周波数帯域に存在するノイズが混入している領域を判定することができる。このように、例えば、大局的な変化、局所的な変化、および変化の連続性の３つの観点から評価を行うことによって、ノイズ混入領域の判定を行う。
【００８５】
なお、本実施形態では、ここで説明したノイズ混入状況判定部１６によるノイズ混入領域の判定方法は、一例であって、他のノイズ混入領域の判定方法を用いて、例えば、同一の周波数帯域以外の周波数帯域に存在するノイズに関して、ノイズ混入領域を判定してもよい。
【００８６】
ノイズ除去・低減処理部１６ａは、ノイズ混入状況判定部１６によってノイズが混入していると判定された場合、混入しているノイズを除去または低減するための処理（以下、「ノイズ除去処理」と称す。）を行う。
【００８７】
例えば、ノイズ除去・低減処理部１６ａは、ノイズが混入していると判定され、基線変動等のノイズの影響により、生体信号が正常な生体信号と比べて変形している場合、ノイズを除去または低減するためのフィルタリングまたはその他のノイズを除去または低減するための手法を用いて、ノイズの除去または低減する。これにより、生体信号の成分および特徴量を抽出可能な状態にすることができる。
【００８８】
具体的には、ノイズ除去・低減処理部１６ａは、ハイパスフィルタ、バンドパスフィルタ、または所定の閾値、を利用したノイズ除去処理を行う。または、ウェーブレット変換を用いて、ノイズ除去処理を行ってもよい。なお、本実施形態では、ノイズ除去処理の方法として、これ以外の方法を用いてもよい。
【００８９】
そして、ノイズ混入状況判定部１６は、ノイズが混入しているか否かの判定結果ｃを、特徴量抽出部２０に送る。判定結果ｃには、ノイズ除去・低減処理部１６ａによってノイズが除去または低減された生体信号に関する情報、および、ノイズが混入している期間の時刻および生体信号の電位の時系列情報、も含まれる。
【００９０】
なお、ノイズ状況判定部１６は、生体信号にノイズが混入している期間に対応する生体信号に、「ノイズ」等のラベルを付与してもよい。同様に、正常な生体信号に、「正常」等のラベルを付与してもよい。
【００９１】
また、ノイズ除去・低減処理部１６ａは、ノイズ混入状況判定部１６ではなく、例えば、生体信号処理装置１０に設けられていてもよい。
【００９２】
特徴量抽出部２０は、判定結果ｃに基づき、生体信号から特徴量を抽出する。例えば、ノイズ除去・低減処理部１６ａによってノイズが除去または低減された期間に対応する生体信号（以下、「ノイズ除去済み生体信号」と称す。）から特徴量を抽出する。また、正常な生体信号からも特徴量を抽出する。
【００９３】
具体的には、特徴量抽出部２０は、アーチファクト判定部１４およびノイズ混入状況判定部１６による判定処理の結果、対象となる期間に関して、振幅ゼロアーチファクト、振幅大アーチファクト、およびノイズ、の何れの影響も受けていないと判定された場合、および、ノイズ除去・低減処理部１６ａによってノイズ除去処理された場合、対象となる期間における特徴量を抽出する。
【００９４】
より詳細には、特徴量抽出部２０は、Ｒ波の相関係数、所定の閾値、またはウェーブレット変換、を用いた方法で特徴量を抽出する。例えば、ウェアラブルデバイスの利用者に提供するサービス形態、または、特徴量の抽出のための計算に関するコストを考慮して、適切な方法で特徴量を抽出する。なお、これらの特徴量の抽出の方法以外の方法を用いて、特徴量を抽出してもよい。
【００９５】
そして、例えば、特徴量抽出部２０は、Ｒ波等の特徴パタンを抽出し、抽出された特徴パタンに基づき、ＲＲＩ値等の特徴量を抽出する。
【００９６】
また、特徴量抽出部２０は、判定結果ｃに基づき、生体信号から特徴量を抽出できるか否か判定する。
【００９７】
そして、特徴量抽出部２０は、生体信号から特徴量を抽出できると判定した場合、抽出された特徴量に関する情報、および、特徴量を抽出できるか否かの判定結果を、特徴量情報ｄ１として、特徴量記憶部２２に送る。一方、生体信号から特徴量を抽出できないと判定した場合、例えば、特徴量を抽出できない期間に関する情報、および、特徴量を抽出できるか否かの判定結果を、特徴量情報ｄ２として、後述する特徴量補完要否判定部１８に送る。
【００９８】
特徴量記憶部２２は、特徴量情報ｄ１を記憶する。また、例えば、記憶されている特徴量情報ｄ１のうちの、後述する生体信号解析処理部３０によって解析が必要な生体信号に関する特徴量情報ｅ１を、補完・破棄処理済特徴量記憶部２４に送る。
【００９９】
また、特徴量記憶部２２は、例えば、後述する特徴量補完要否判定部１８による要求に応じて、記憶されている特徴量情報ｄ１のうちの特徴量情報ｅ２を、特徴量補完要否判定部１８に送る。
【０１００】
なお、特徴量情報ｅ１，ｅ２には、例えば、Ｒ波が発生した時刻の時系列情報が含まれる。
【０１０１】
補完・破棄処理済特徴量記憶部２４は、特徴量情報ｅ１および後述する特徴量補完要否判定部１８の判定結果ｇを、記憶する。例えば、特徴量情報ｅ１に含まれる特徴量に関するデータと、判定結果ｇに含まれる補完された特徴量に関するデータと、を合わせて、時系列的に記憶する。また、特徴量抽出部２０によって特徴量を抽出することができなかった期間に関するデータ、および、後述するデータ破棄部１８ｂによって破棄されたアーチファクトが混入している期間に関するデータ、を例えば空値（Ｎｕｌｌ値）として記憶する。
【０１０２】
また、補完・破棄処理済特徴量記憶部２４は、記憶している特徴量に関する情報ｈを、生体信号解析処理部３０に送る。
【０１０３】
なお、特徴量記憶部２２および補完・破棄処理済特徴量記憶部２４は、例えば、不揮発性メモリ等のストレージとして実現される。
【０１０４】
特徴量補完要否判定部１８は、特徴量補完部１８ａおよびデータ破棄部１８ｂを備えており、特徴量補完部１８ａによって特徴量を補完するか、または、データ破棄部１８ｂによって該当期間のデータを破棄するか、否かを判定するための予め設定されている判定基準に基づき、特徴量を補完するかまたは該当するデータを破棄するか判定する。
【０１０５】
例えば、特徴量補完要否判定部１８は、アーチファクト判定部１４による判定結果ｂ２または特徴量情報ｄ２に基づき、アーチファクトが混入している期間（以下、「アーチファクト期間」と称す。）における特徴量（以下、「アーチファクト期間特徴量」と称す。）を補完するか否かを判定する。
【０１０６】
また、特徴量補完要否判定部１８は、例えば、後述する生体信号解析処理部３０による解析処理において時間的に連続する特徴量を必要とする場合、または、生体信号解析処理部３０による解析処理において必要とする特徴量の精度に応じて、例えば生体信号解析処理部３０による解析処理において高精度の特徴量を必要とする場合、アーチファクト期間特徴量を補完すると判定する。
【０１０７】
一方、特徴量補完要否判定部１８は、例えば、生体信号解析処理部３０による解析処理において時間的に連続する特徴量を必要としない場合、または、生体信号解析処理部３０による解析処理において高精度の特徴量を必要としない場合、アーチファクト期間特徴量を補完しないと判定する。
【０１０８】
特徴量補完部１８ａは、特徴量補完要否判定部１８によって、補完が行われるように指定されている期間、例えば補完をすると判定された期間、（以下、「補完指定期間」と称す。）、における特徴量を補完する処理（以下、「特徴量補完処理」と称す。）を行う。なお、補完指定期間は、例えば、アーチファクト期間である。
【０１０９】
特徴量補完処理は、例えば、以下のような方法またはこれらの方法を組み合わせた方法を用いて行われるが、これらの方法と異なる方法を用いて行われてもよい。
【０１１０】
第１の方法は、補完指定期間よりも時間的に前に、すなわち過去に、特徴量抽出部２０によって抽出されており、正常な生体信号を含む正常な領域に対応する期間（以下、「過去正常期間」と称す。）における特徴量に基づいて、特徴量の補完を行う方法である。すなわち、過去正常期間における特徴量は、補完指定期間における特徴量、例えばアーチファクト期間特徴量、の代替値でもある。
【０１１１】
第２の方法は、複数の過去正常期間における特徴量に基づき、線形補完等を行う方法である。
【０１１２】
第３の方法は、過去正常期間がない場合、例えば、過去正常期間が予め指定されていない場合、補完指定期間に関するデータを空値で補完する方法である。
【０１１３】
第４の方法は、補完指定期間の時間的に前後の期間における正常な生体が信号を含む領域に対応する期間（以下、「前後正常期間」と称す。）における特徴量に基づいて、例えば、補完指定期間の前後の生体信号または特徴量が、例えば線形的につながるように、特徴量の補完を行う方法である。なお、ここで、時間的に前後の期間は、例えば、予め定められた期間である。
【０１１４】
例えば、特徴量補完部１８ａは、特徴量補完要否判定部１８によってアーチファクト期間特徴量を補完すると判定された場合、アーチファクト期間に対応する生体信号の代わりに、過去正常期間または前後正常期間に対応する生体信号を用いて、アーチファクト期間特徴量を補完する。例えば、前後正常期間における特徴量を、アーチファクト期間特徴量の代替値として用いることによって、アーチファクト期間特徴量を補完する。
【０１１５】
また、特徴量補完部１８ａは、アーチファクト期間だけでなく、特徴量情報ｄ２に基づき、ノイズの影響を受けた期間であって特徴量抽出部２０によって特徴量を抽出することができなかった期間についても、上述したような特徴量の代替値を用いることによって、その期間における特徴量を補完する。以下、アーチファクト期間特徴量の補完について説明するが、ノイズの影響を受けた期間であって特徴量抽出部２０によって特徴量を抽出することができなかった期間における特徴量の補完についても、同様に説明することができる。
【０１１６】
また、特徴量補完部１８ａは、特徴量情報ｅ２に基づき、特徴量記憶部２２に記憶されている特徴量、すなわち、正常な生体信号の特徴量、ノイズ除去済み生体信号の特徴量、過去正常期間における特徴量、または前後正常期間における特徴量を、アーチファクト期間特徴量の代替値として用いることによって、アーチファクト期間特徴量を補完する。
【０１１７】
また、特徴量補完部１８ａは、例えば補完に必要な特徴量が不足し代替値がないためアーチファクト期間特徴量の補完ができない期間があるか否か判定する。そして、アーチファクト期間特徴量の補完ができない場合、後述するデータ廃棄部１８ｂと同様に、アーチファクト期間に関するデータを破棄する。
【０１１８】
そして、特徴量補完部１８ａは、補完された特徴量を抽出することができた場合、補完された特徴量に関する情報を、特徴量補完要否判定部１８の判定結果ｇとして、補完・破棄処理済特徴量記憶部２４に送る。
【０１１９】
なお、特徴量情報ｇには、例えば、補完された特徴量に対応するＲ波が発生した時刻の時系列情報が含まれる。また、特徴量情報ｇには、後述するデータ破棄部１８ｂによってアーチファクト期間に関するデータが破棄された場合、例えば、破棄されたデータの時刻の時系列情報が含まれる。
【０１２０】
データ破棄部１８ｂは、特徴量補完要否判定部１８によってアーチファクト期間特徴量を補完しないと判定された場合、例えば、アーチファクト期間に対応する生体信号に関するデータを破棄する。
【０１２１】
より詳細には、データ破棄部１８ｂは、特徴量補完要否判定部１８によって補完しないと判定されたアーチファクト期間に対応する生体信号に関するデータ（以下、「破棄データ」と称す。）を空値のデータに置き換えることによって、破棄する。または、破棄データの値を０に置き換えることによって、破棄してもよいし、破棄データであることを示すフラグをたてることによって、破棄してもよい。
【０１２２】
なお、破棄データとして破棄されるデータは、ユーザ等に提供するサービスに応じて、例えば、必要なデータを残してもよい。例えば、破棄した区間のタイムスタンプがとれるように、破棄データに対応する時刻データを破棄することなく残してもよい。
【０１２３】
そして、データ破棄部１８ａは、破棄データおよび破棄しなかった時刻データに関する情報を、特徴量補完要否判定部１８の判定結果ｇとして、補完・破棄処理済特徴量記憶部２４に送る。
【０１２４】
ここで、特徴量補完要否判定部１８によって行われる、特徴量を補完するか否かの判定処理についてより詳細に説明する。
【０１２５】
特徴量補完要否判定部１８は、例えば、互いに隣接するＲＲＩ値のゆらぎに基づき自律神経の活動を推定するために正確な特徴量を必要とする場合、アーチファクト期間特徴量または特徴量抽出部２０によってＲ波を抽出できない期間における特徴量を補完する必要がないと判定する。そして、データ破棄部１８ｂは、これらの期間に対応するデータを破棄する。
【０１２６】
一方、特徴量補完要否判定部１８は、例えば、ウェアラブルデバイスに搭載されたランニングサポートアプリケーションのように、時間的に連続する特徴量を必要とする場合、アーチファクト期間特徴量または特徴量抽出部２０によってＲ波を抽出できない期間における特徴量を補完するか必要があると判定する。そして、特徴量補完部１８ａは、これらの期間における特徴量を補完する。
【０１２７】
また、特徴量補完要否判定部１８は、補完要否判定の対象となる該当期間の状態、すなわち、該当期間に対応する生体信号が正常な生体信号である状態、該当期間にアーチファクトが混入している状態、または該当期間にノイズが混入している状態、に応じて、上述した予め設定されている判定基準を切替えるようにしてもよい。
【０１２８】
なお、特徴量補完部１８ａおよびデータ破棄部１８ｂは、特徴量補完要否判定部１８ではなく、例えば、生体信号処理装置１０に設けられていてもよい。
【０１２９】
生体信号解析処理部３０は、特徴量に関する情報ｈに基づき、対象となる生体信号の解析を行う。
【０１３０】
また、本実施形態の生体信号処理システム１は、例えば、磁気ディスク等の記録媒体に記録されたプログラムや、インターネット等の通信ネットワークを介してダウンロードしたプログラムを読み込み、このプログラムによって動作が制御されるサーバ等のコンピュータによって実現される。
【０１３１】
なお、請求項において、生体信号を取得する取得手段は、例えば、生体信号取得部１２に対応する。取得された生体信号の任意の期間に、生体信号の成分が一定期間含まれない期間または生体信号の成分が所定の閾値を超える期間に対応する信号であるアーチファクト、および、アーチファクトと異なり且つ特徴量の抽出を阻害するノイズ、のうちの少なくとも１つが混入しているか否かを判定する判定手段は、例えば、アーチファクト判定部１４またはノイズ混入状況判定部１６に対応する。
【０１３２】
また、請求項において、判定手段によってノイズが混入していると判定された場合、ノイズを除去するノイズ除去手段は、例えば、ノイズ除去・低減処理部１６ａに対応する。ノイズ除去手段によってノイズが除去された期間に対応する生体信号から特徴量を抽出する抽出手段は、例えば、特徴量抽出部２０に対応する。
【０１３３】
また、請求項において、判定手段によってアーチファクトが混入していると判定された場合、アーチファクトが混入している期間に対応する生体信号を破棄する、または、ノイズおよびアーチファクトの何れも混入していない期間における特徴量を用いて、アーチファクトが混入している期間における特徴量を補完する、補完手段は、例えば、特徴量補完要否判定部１８、特徴量補完部１８ａ、またはデータ破棄部１８ｂに対応する。
【０１３４】
次に、図１０のフローチャートを参照して、生体信号処理装置１０による生体信号判定処理手順の一例について説明する。
【０１３５】
図１０は、本実施形態の生体信号処理装置によって実行される生体信号判定処理手順の一例を示すフローチャートである。
【０１３６】
まず、アーチファクト判定部１４によって、生体信号にアーチファクトが混入しているか否か判定される（ステップＳ３０）。
【０１３７】
生体信号にアーチファクトが混入していると判定された場合（ステップＳ３０：Ｙｅｓ）、ステップＳ３４に進む。一方、生体信号にアーチファクトが混入していないと判定された場合（ステップＳ３０：Ｎｏ）、例えば、対象となる期間にアーチファクト判定部１４によって上述した「アーチファクト」のラベルが付与されていない場合、ノイズ混入状況判定部１６によって、生体信号にノイズが混入しているか否か判定される（ステップＳ３２）。
【０１３８】
生体信号にノイズが混入していないと判定された場合（ステップＳ３２：Ｎｏ）、ステップＳ３８に進む。一方、生体信号にノイズが混入していると判定された場合（ステップＳ３２：Ｙｅｓ）、ノイズ除去・低減処理部１６ａによって、ノイズ除去処理が行われ（ステップＳ３６）、その後、ステップＳ３８に進む。
【０１３９】
次に、特徴量抽出部２０によって、特徴量を抽出できるか否か判定される（ステップＳ３８）。特徴量を抽出できると判定された場合（ステップＳ３８：Ｙｅｓ）、特徴量抽出部２０によって特徴量が抽出され、特徴量記憶部２２によって、抽出された特徴量が記憶される（ステップＳ４０）。一方、特徴量を抽出できないと判定された場合（ステップＳ３８：Ｎｏ）、ステップＳ３４に進む。
【０１４０】
生体信号にアーチファクトが混入していると判定された場合（ステップＳ３０：Ｙｅｓ）、または、特徴量を抽出できないと判定された場合（ステップＳ３８：Ｎｏ）、特徴量補完要否判定部１８によって、アーチファクト期間特徴量を補完する必要があるか否か判定される（ステップＳ３４）。
【０１４１】
アーチファクト期間特徴量を補完する必要がないと判定された場合（ステップＳ３４：Ｎｏ）、データ破棄部１８ｂによって、アーチファクト期間に対応する生体信号に関するデータが破棄される（ステップＳ４２）。そして、ステップＳ４２の後、ステップＳ４８に進む。
【０１４２】
一方、アーチファクト期間における特徴量を補完する必要があると判定された場合（ステップＳ３４：Ｙｅｓ）、特徴量補完部１８ａによって、アーチファクト期間特徴量が補完される（ステップＳ４４）。
【０１４３】
そして、ステップＳ４４の後またはステップＳ４２の後、補完・破棄処理済特徴量記憶部２４によって、例えば、ステップＳ４０において記憶された特徴量と補完された特徴量とが合わせて記憶される（ステップＳ４８）。
【０１４４】
以上のような本実施形態によって、次のような効果を得ることができる。  
生体信号にアーチファクトまたはノイズが混入しているか否かを適切に判定することが可能となる。
【０１４５】
例えば、ウェアラブルデバイスを用いて生体信号を計測する場合、ユーザがウェアラブルデバイスを装着している間、継続して生体信号を適切に計測し、計測された生体信号を適切に処理することが可能となる。
【０１４６】
また、生体信号が計測されている状況を判定することも可能となる。例えば、アーチファクト期間、および、ノイズの影響が大きく特徴量の抽出が困難な期間について、その期間の前後の期間に対応するデータに基づき、該当期間における特徴量の補完または該当期間に対応するデータの破棄を行うことが可能となる。
【０１４７】
これにより、例えば、アーチファクト期間を解析するために必要な計算コストまたは時間コストを低減することが可能となる。また、アーチファクト期間以外のノイズが混入している期間についても、混入したノイズを除去または低減する等の適切な処理を行うことによって、特徴量を抽出することが可能となる。
【０１４８】
また、抽出された特徴量を用いて提供されるサービスに応じて、適切な処理を行うことが可能となる。例えば、生体信号として心電を想定した場合、例えば以下のような処理を行うことが可能となる。
【０１４９】
ランニングサポートアプリケーション等を使用する場合のように連続的な特徴量を算出する必要がある場合、生体信号の成分を計測できない場合でも、該当する期間の前後の期間において正確に抽出することができた特徴量に基づき、上述したような補完の処理を行うことが可能となる。
【０１５０】
また、互いに隣接するＲＲＩ値のゆらぎに基づき、自律神経の活動を推測するようなアプリケーションを使用する場合のように厳密なＲＲＩ値を抽出する必要がある場合、例えば、該当する期間に対応するデータを解析処理の対象外のデータとすることによって、正確にＲＲＩ値を抽出できた期間のみを解析処理の対象とすることが可能となる。
【０１５１】
また、生体信号が計測される状況に応じて適切な処理を行うことによって、生体信号の誤検出、過剰な検出、または検出漏れ等を低減することが可能となる。
【０１５２】
また、最終的にユーザに提供するサービスの内容に応じて、生体信号の特徴量を適切に抽出することが可能となる。
【０１５３】
また、アーチファクトおよびノイズを適切に判定し、それらを適切に処理するによって、抽出される特徴量の精度を向上させるだけでなく、継続的に特徴量を抽出することが可能となる。
【０１５４】
例えば、振幅ゼロアーチファクト、振幅大アーチファクト、およびノイズの３つの異常状態、ならびに、正常な生体信号を含む正常状態、を判定することによって、特徴量の抽出の精度を向上させることが可能となる。これにより、ウェアラブルデバイスで計測した生体信号から特徴量を抽出する場合、生体信号を計測している状況が、これらの状態のうちのどの状態に属するか判定することが可能となる。そして、これらの状態を判定し、判定された状態に応じて異なる処理を行うことによって、正確に特徴量を抽出することが可能となる。
【０１５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５６】
１…生体信号処理システム、９…生体信号測定デバイス、１０…生体信号処理装置、１２…生体信号取得部、１４…アーチファクト判定部、１６…ノイズ混入状況判定部、１６ａ…ノイズ除去・低減処理部、１８…特徴量補完要否判定部、１８ａ…特徴量補完部、１８ｂ…データ破棄部、２０…特徴量抽出部、２２…特徴量記憶部、２４…補完・破棄処理済特徴量記憶部、３０…生体信号解析処理部、４０，４６…グラフ、４２ａ…アーチファクトを含む領域、４２ｂ…ノイズを含む領域、４２ｃ…正常な領域。４２ａ−１，４２ａ−２，４２ｄ…領域、５０…ＱＲＳ群、ａ，ａ０…生体信号情報、ｂ１，ｃ，ｇ…判定結果、ｄ１，ｄ２，ｅ１，ｅ２…特徴量情報、ｈ…特徴量に関する情報、Ｔｈ…閾値。
【図１】
0006527830.tif 000002
【図２】
0006527830.tif 000003
【図３】
0006527830.tif 000004
【図４】
0006527830.tif 000005
【図５】
0006527830.tif 000006
【図６】
0006527830.tif 000007
【図７】
0006527830.tif 000008
【図８】
0006527830.tif 000009
【図９】
0006527830.tif 000010
【図１０】
0006527830.tif 000011